(57)【特許請求の範囲】
【請求項１】
盛土体の法面側を覆う擁壁緑化ユニットであって、
盛土体の成形型枠機能を有する有孔構造の擁壁面部と、
擁壁面部を法面の勾配に合わせた角度で自立させる自立手段とを有し、
前記擁壁面部を構成する縦線材を外側へ屈曲して凸部を形成し、
擁壁面部の下部に形成した水平底面部と、前記擁壁面部および水平底面部に跨って設置した側面部とにより擁壁部の自立手段を構成し、
シートを擁壁面部の内面に取り付け、シートで覆われた土砂が、縦線材を外側へ屈曲して形成した凸部の突出部に沿って膨出して緑化ステージを形成するように構成した、
擁壁緑化ユニット。
【請求項２】
盛土体と、盛土体の法面側を覆う擁壁ユニットと、擁壁ユニットの法面側に配置したシートとにより構成される盛土構造体であって、
前記擁壁ユニットは前記請求項１に記載した擁壁緑化ユニットを使用し、
前記擁壁緑化ユニットのシートを設置した擁壁面部の背面に盛土して擁壁面部において、
シートで覆われた土砂を、縦線材を外側へ屈曲して形成した凸部の突出方向に沿って膨出させて緑化ステージとして形成し、
前記緑化ステージを植生基盤として緑化したことを特徴とする、
盛土構造体。
【発明の詳細な説明】
【技術分野】
【０００１】
本発明は急勾配の盛土側面の緑化に適した擁壁緑化ユニットおよび盛土構造体に関するものである。
【背景技術】
【０００２】
盛土体の保全と景観保護に配慮して、盛土体の法面を各種の擁壁体で覆い、さらにこの擁壁体の表面を植生緑化する盛土工法が種々提案されている。
このような盛土工法においては、Ｌ字状を呈するエキスパンドメタル製の擁壁部材を地山や盛土層の前方に載置する工程と、擁壁部材の背面側に盛土層を構築する工程と、各盛土層の間にジオグリッドを敷設する工程とを繰り返し行なって所定の盛土体を構築している。
また法面を緑化する方法としては、法面に種子を直接吹き付ける方法が広く知られているが、盛土体の法面の場合は擁壁部材の表面内側に予め植生シートを取り付けておき、植生シートから発芽させて緑化する方法を採用する場合が多い。
【発明の開示】
【発明が解決しようとする課題】
【０００３】
従来の緑化技術にはつぎのような問題点がある。
（１）盛土体の法面は平らで、しかも勾配がきついため、種子や幼植物が落下し易いうえに土砂が流出し易いため、緑化した年には植物が生育するが、その翌年には大半の植物が枯死してしまう。さらに外部から飛来した植物の定着率も低い。
そのために、好適な緑化環境が整っていないために長期に亘る緑化を図ることが困難であるだけでなく、植物が枯死すると金属製又はコンクリート製の擁壁体が剥き出しになって景観性を損ねるという不都合もある。
（２）擁壁部材で覆われた盛土体の擁壁面を緑化する方法として、擁壁部材にコンクリート製の植生用ポットを現場で一体に構築し、このポット内に充填した植生基盤材に植生する方法が知られている。
この方法にあっては、擁壁部材に、ポットと植生基盤材の重量を支えるだけの強度を付与しなければならず、資材コストを含め全体の施工コストが高くつくという問題がある。
さらに、ポット内の植生基盤材が擁壁部材で遮蔽されるため、擁壁部材を貫通して植物の根系が進入できない。そのため、緑化できる植物の種類に制限があり、特に根系の成長が深い木本類は導入することができない。
【０００４】
本発明は以上の点に鑑みて成されたもので、その目的とするところは簡易な手法で以って擁壁面の長期緑化を実現できる、擁壁緑化ユニットおよび盛土構造体を提供することにある。
また本発明の他の目的は、使用する資材数を削減できて経済性と施工性を改善できる、擁壁緑化ユニットおよび盛土構造体を提供することにある。
【課題を解決するための手段】
【０００５】
本願の第１発明は、盛土体の法面側を覆う擁壁緑化ユニットであって、盛土体の成形型枠機能を有する有孔構造の擁壁面部と、擁壁面部を法面の勾配に合わせた角度で自立させる自立手段とを有し、前記擁壁面部を構成する縦線材を外側へ屈曲して凸部を形成し、擁壁面部の下部に形成した水平底面部と、前記擁壁面部および水平底面部に跨って設置した側面部とにより擁壁部の自立手段を構成し、シートを擁壁面部の内面に取り付け、シートで覆われた土砂が、縦線材を外側へ屈曲して形成した凸部の突出部に沿って膨出して緑化ステージを形成するように構成した、擁壁緑化ユニットである。
【０００６】
本願の第２発明は、盛土体と、盛土体の法面側を覆う擁壁ユニットと、擁壁ユニットの法面側に配置したシートとにより構成される盛土構造体であって、前記擁壁ユニットは前記請求項１に記載した擁壁緑化ユニットを使用し、前記擁壁緑化ユニットのシートを設置した擁壁面部の背面に盛土して擁壁面部において、シートで覆われた土砂を、縦線材を外側へ屈曲して形成した凸部の突出方向に沿って膨出させて緑化ステージとして形成し、前記緑化ステージを植生基盤として緑化したことを特徴とする、盛土構造体である。
【発明の効果】
【０００７】
擁壁緑化ユニットの擁壁面部に凸部を形成するだけで、ひとつの擁壁緑化ユニットで以って盛土体の成形型枠としての機能と、緑化ステージを形成して擁壁面部を緑化する機能を発揮でき、しかも擁壁緑化ユニットを載置するだけでよく、従来のような独立したポット類を別途に設置する必要がなくなるため、使用する資材の経済性と施工性を改善することができる。
さらに、盛土構造体の法面に位置させた擁壁緑化ユニットの擁壁面部に、棚状に張り出した緑化ステージを形成し、これらの緑化ステージを植生基盤として良好な生育環境の下で植物を生育できるので、複数年に亘る長期緑化を実現することができる。
さらに緑化ステージの土砂から盛土層へ続いているので、植物の根系の伸びを制限することがなく、草花類だけでなく木本類の植生も可能となる。
【発明を実施するための最良の形態】
【０００８】
以下に図面を参照しながら本発明を実施するための最良の形態について説明する。
【０００９】
（１）盛土構造体の概要
図１に本発明に係る盛土構造体のモデル図を示す。
盛土構造体は多段的に構築された複数の盛土層１１と、各盛土層１１間に水平に埋設したジオグリッド１２からなる盛土体１０と、盛土体１０の法面側を覆う特殊構造の擁壁緑化ユニット２０と、擁壁緑化ユニット２０の法面側に配置したシート３０とにより構成される。
【００１０】
ジオグリッド１２は、盛土体１０の内部に水平に埋設して、盛土体１０を補強するシート材で、例えば、アラミド繊維製の芯材に高密度ポリエチレンの被膜で覆ってネット状に形成した公知の素材が使用可能である。
以降に主要な構成部材について詳述する。
【００１１】
（２）擁壁緑化ユニット
擁壁緑化ユニット２０は、盛土体１０の成形型枠としての機能と、緑化面としての機能を併有するもので、有孔構造を呈し、かつ凹凸状に形成した擁壁面部２１と、擁壁面部２１を法面勾配に合わせた所定の角度で自立させるための自立手段とを具備する。
言い換えると、擁壁緑化ユニット２０は法面を覆う面を凹凸状の植生面として形成し、この凹凸を利用して、法面が急勾配であっても植生基盤である土砂を水平に膨出させるために機能する。
【００１２】
図２を基に本例の擁壁緑化ユニット２０について説明すると、擁壁面部２１と、水平底面部２２と、側面部２３とを具備し、水平底面部２２と、側面部２３とにより擁壁部２１の自立手段を構成するカゴ構造体である場合について説明する。
【００１３】
擁壁面部２１、水平底面部２２、および側面部２３は所定の間隔を隔てた複数の縦線と横線を交差させ、その交差部を溶接した溶接金網で形成される。
溶接金網の目合い寸法は、実用上５０ｍｍ〜１００ｍｍ×１００ｍｍ〜１５０ｍｍが望ましいが、法面勾配等を考慮して適宜選択する。
【００１４】
擁壁面部２１を構成する縦方向に配置した各縦線には、線材を外方に屈曲して植物の生育に役立つ凸部２１ａが形成されている。凸部２１ａの形成にあたり、凸部２１ａの頂部が略水平となるように形成することが肝要である。
尚、本例では一本の縦線に対して複数の凸部２１ａを形成した場合を示すが、凸部２１ａは一つだけ形成してもよい。
また凸部２１ａの突出長は擁壁緑化ユニット２０の高さや植生予定の植物の種類等を考慮して適宜選択するものとする。
【００１５】
水平底部２２と側面部２３は擁壁面部２１の自立手段を構成し、これらの水平底部２２と側面部２３の各前端は擁壁面部２１の下部と側端に夫々一体に接続されている。
本例では、目の粗い溶接金網を略Ｌ字形に折曲加工して擁壁面部２１と水平底部２２を一体に形成した場合を示すが、擁壁面部２１と水平底部２２の間を公知の回動可能なヒンジで接続して折り畳み式に構成してもよい。
【００１６】
また側面部２３はコイル材等の図示しない連結具を介して擁壁面部２１と水平底部２２に接合するとよい。
擁壁緑化ユニット２０が横長の場合、擁壁面部２１と水平底部２２の中間に側面部２３を配設する場合もある。
【００１７】
（３）シート
シート３０は土砂の流出を規制しつつ、種子や植物の活着と成育を阻害しないメッシュ状物であり、例えば公知の植生シートや保水シートや生分解性シート等の公知のシートを含む。
シート３０は少なくとも擁壁緑化ユニット２０の擁壁面部２１の全面を被覆可能な大きさに形成されている。
シート３０は擁壁緑化ユニット２０の擁壁面部２１の内面に予め取り付けておくか、或いは現場で取り付ける。
【００１８】
(４)施工法
つぎに盛土構造体の構築方法について説明する。
図３に示すように地盤にジオグリッド１２を敷設する。
盛土体の法面相当位置に篭状に組み立てた擁壁緑化ユニット２０を設置する。  ジオグリッド１２の図面左端と擁壁緑化ユニット２０の水平底面部２１の間は重合させ配置し、その重合部にピン等を差し込んで両部材を連結する。
【００１９】
擁壁緑化ユニット２０の擁壁面部２１の内側にシート３０を配置した後、擁壁緑化ユニット２０の背面側に土砂を撒き出して擁壁緑化ユニット２０の高さまで盛土層１１を構築する。
擁壁緑化ユニット２０の擁壁面部２１の背面に充填された土砂は、シート３０によって流出を阻止されるが、図４に拡大して示すように複数の凸部２１ａを形成した擁壁面部２１の粗い網目の透過方向に僅かに膨出する。
【００２０】
すなわち、シート３０で覆われた土砂が凸部２１ａの突出方向に沿って膨出して緑化ステージ１３が形成される。
擁壁緑化ユニット２０の擁壁面部２１から部分的に外方に張り出た緑化ステージ１３の土砂は盛土層１１と組織的に連続性を有していると共に、緑化ステージ１３の頂部は凸部２１ａの上部形状に合わせて略水平な面として形成される。
【００２１】
一層目の施工を完了したら、同様にジオグリッド１２の敷設工、擁壁緑化ユニット２０の設置工、シート３０の設置工、盛土工を繰り返し行って、図１に示した盛土構造体を得る。
【００２２】
(５)緑化方法
つぎに盛土構造体の緑化方法について説明する。
盛土構造体の法面を覆う擁壁緑化ユニット２０の擁壁面部２１には、図４に示すように複数の緑化ステージ１３が膨出されている。
【００２３】
シート３０が植生シートである場合は、シート３０の全体から発芽する。
擁壁緑化ユニット２０の擁壁面部２１には所定の勾配がついているが、殊に緑化ステージ１３上に発芽した植物４０は、略水平面を有する緑化ステージ１３を植生基盤として生育する。擁壁緑化ユニット２０の擁壁面部２１には所定の勾配がついているが、緑化ステージ１３はこの法面勾配の影響を受けない。
またシート３０により緑化ステージ１３内の土砂が外部へ流出するのを規制するため、緑化ステージ１３が雨水により簡単に侵食される心配はない。
【００２４】
またシート３０が植生シートでない場合は外部から種子を人工的に吹き付ける。
擁壁緑化ユニット２０の擁壁面部２１へ向けて吹き付けられた種子の一部は、落下せずに水平に張り出した緑化ステージ１３の上面で受け止められる。
そのため、種子は緑化ステージ１３を植生基盤として発芽し、良好に成長する。周囲の植物から種子が擁壁面部２１へ飛来した場合も同様である。
【００２５】
つぎに植物４０の根系の成長を考察する。
緑化ステージ１３の土砂は盛土層１１と連続性を有していて、その間に遮断部材は存在しない。
そのため、植物４０の根系は、緑化ステージ１３の土砂から盛土層１１へ向けて順調に伸長することができる。
したがって、植物４０として導入できる種類は、草花類だけでなく根系の伸長量が大きい木本類を植生することも可能となる。
【００２６】
さらに盛土構造体の法面を覆う擁壁緑化ユニット２０の擁壁面部２１に凹凸を形成したことで、突出した緑化ステージ１３が流水の抵抗となって保水性が高くなり、植物４０の望ましい生育環境造りに貢献できる。
【００２７】
以上のことから、施工した年だけでなく、その翌年以降も継続して自然緑化を持続することが可能となるから、植生による盛土構造体の耐久性の向上と、景観性の改善が可能となる。
【００２８】
(６)その他の実施の形態
以降に他の実施の形態について説明するが、その説明に際し、前記した実施の形態１と同一の部位は同一の符号を付してその詳しい説明を省略する。
【００２９】
図５〜図８に他の擁壁緑化ユニット２０を示す。
図５、図６、図７は、擁壁緑化ユニット２０の擁壁面部２１の縦断面図を示し、図８は擁壁緑化ユニット２０の擁壁面部２１の部分斜視図を示す。
【００３０】
図５は、擁壁面部２１を構成する縦線の凸部２１ａの張り出し形状に丸みを持たせて膨出させた形態を示し、図６は、縦線を鉤型形状に屈曲して凸部２１ａを形成した場合を示し、図７は、縦線を波形状に屈曲して凸部２１ａを形成した場合を示す。
【００３１】
以上は、擁壁緑化ユニット２０の縦線に凸部２１ａを形成した場合について説明したが、図８に示すように、擁壁面部２１を構成する横線を屈曲加工して横線に凸部２１ａを形成してもよい。
【００３２】
既述した実施の形態は擁壁緑化ユニット２０がカゴ構造体である場合について説明したが、擁壁緑化ユニット２０は図９に示すように、と水平底面部２２の間に補強用の斜材２４を掛け渡して形成してもよい。
本例にあっては、側面部２３に代わって斜材２４で以って擁壁面部２１の変形を阻止することになる。
【図面の簡単な説明】
【００３３】
【図１】本発明の盛土構造体のモデル図
【図２】中間を省略した擁壁緑化ユニットの斜視図
【図３】盛土構造体の構築方法の説明図
【図４】緑化ステージの拡大断面図
【図５】他の擁壁緑化ユニットの説明図
【図６】他の擁壁緑化ユニットの説明図
【図７】他の擁壁緑化ユニットの説明図
【図８】他の擁壁緑化ユニットの説明図
【図９】他の擁壁緑化ユニットの説明図
【符号の説明】
【００３４】
１０・・・・・盛土体
１１・・・・・盛土層
１２・・・・・ジオグリッド
１３・・・・・緑化ステージ
２０・・・・・擁壁緑化ユニット
２１・・・・・擁壁面部
２１ａ・・・・・凸部
２２・・・・・水平底面部
２３・・・・・側面部
２４・・・・・斜材
３０・・・・・シート
４０・・・・・植物
【図１】
0004413182.tif 000002
【図２】
0004413182.tif 000003
【図３】
0004413182.tif 000004
【図４】
0004413182.tif 000005
【図５】
0004413182.tif 000006
【図６】
0004413182.tif 000007
【図７】
0004413182.tif 000008
【図８】
0004413182.tif 000009
【図９】
0004413182.tif 000010